(57)【要約】    【課題】  被印字媒体ならびにインクリボンの交換が、円滑、かつ、簡単に行える位置に押え部材を退避させるようにした被印字媒体の押え部材の駆動装置を提供すること。【解決手段】  印字ユニット３の開放時、印字ユニットに設けられた印字ヘッド６０と、印字装置本体２に設けられたプラテン５５とが離反することにより作業用の空間Ｓを表出し、かつ、印字ユニットの回動に伴い第３のギア１６に沿って第２のギア１５が回転するとともに、第２のギアの回転が第１のギア１４に伝達され、案内面５６に付勢されている押え部材４を空間から離れた所望位置に回動して退避する。【選択図】  図２
2015006762.tif 000002
【特許請求の範囲】
【請求項１】
被印字媒体を収納可能な収納部と、
この収納部より所望距離はなれた一端部側に設けられた回転自在なプラテンと、
前記収納部およびプラテンの間の底部に形成された前記被印字媒体の案内面と、
この案内面に配置されるとともに、前記被印字媒体に設けられた検出マークを検出するセンサと、
前記プラテンが設けられた一端部側と対峙する他端部に設けられた支軸部と、を備えた印字装置本体と、
前記支軸部を介し前記印字装置本体に対して開閉可能に支持されるとともに、閉鎖時、前記プラテンに当接する一端部側の所望位置に印字ヘッドが設けられた印字ユニットと、
この印字ユニットに対し回動可能とされる回動軸を備え、かつ、回動軸に軸支されるとともに、印字ユニットの閉鎖時、前記回動軸を介し回動して前記収納部から前記印字ヘッドおよびプラテン側に移送される被印字媒体を前記案内面に付勢する押え部材と、
前記回動軸に嵌合される第１のギア、およびこの第１のギアの近傍の前記印字装置本体に固設された第３のギア、並びに前記第１および第３のギア間に介在する第２のギア、を備えた押え部材の付勢・退避機構と、より構成された押え部材の駆動装置であって、
前記印字ユニットの開放時、前記印字ユニットに設けられた印字ヘッドと、印字装置本体に設けられたプラテンとが離反することにより作業用の空間を表出し、かつ、
前記印字ユニットの回動に伴い第３のギアに沿って第２のギアが回転するとともに、第２のギアの回転が第１のギアに伝達され、前記案内面に付勢されている前記押え部材を前記空間から離れた所望位置に回動して退避することを特徴とする押え部材の駆動装置。
【発明の詳細な説明】
【技術分野】
【０００１】
本発明は、特に、ラベルプリンタなどの印字装置に設けて好適な押え部材の駆動装置であって、ラベル連続体などの被印字媒体の移送時に、印字装置本体の案内面に被印字媒体を押圧する押え部材を、被印字媒体ならびにインクリボンの交換時、交換が円滑、かつ、簡単に行える位置に退避させるようにした被印字媒体の押え部材の駆動装置である。
【背景技術】
【０００２】
従来、ラベル連続体の移送時の安定を図るため、プリンタ本体のラベル案内面にラベル連続体を押圧して案内するラベル連続体の押えローラ装置が知られている（例えば、特許文献１参照）。
【０００３】
特許文献１の上記押えローラ装置が具備されているプリンタ５０を、概略図示した図４に基づき説明すると、プリンタ５０は、プリンタ本体５１と蓋体５２とに分離されるとともに、プリンタ本体５１側には、ラベル連続体５３を回転自在に支持する供給軸５４と、プラテン５５と、プリンタ本体５１の底部５６に設けられた反射センサ５７と、を備えている。
【０００４】
また、蓋体５２には、板バネ材５８に取付けられた一対のラベル押えローラ５９、５９、および印字ヘッド６０が装着されており、奥側（同図における右側）に設けられた枢軸６１を支点として閉蓋状態（同図の想像線状態）から開蓋状態（実線状態）に変位するとともに、閉蓋状態（想像線状態）において、ラベル押えローラ５９はプリンタ本体５１の底部５６に設けられた「案内面５６」に弾性付勢される構成とされている。
そして、蓋体５２が閉蓋状態において、弾性付勢する前記ラベル押えローラ５９により、ラベル連続体５３は底部５６に設けられた反射センサ５７に押圧されることにより、搬送時のラベル連続体５３のバタツキを押さえ込み、以って、反射センサ５７による、ラベル連続体５３の図示省略の検出マークに対する検出を確実とするようになっている。
なお、閉蓋状態時、印字ヘッド６０は、プリンタ本体５１に設けられたプラテン５５に対向するように配置されている。
【０００５】
ところで、ラベル連続体５３を使い切り、あるいは、他の種類に交換する際、蓋体５２を開蓋状態にすると、蓋体５２に板バネ材５８を介して  取り付けられた押えローラ５９が回動して開放された空間Ｓに位置決めされるため（同図の実線状態）、ラベル連続体５３の交換作業に支障を来たすという問題があった。
【０００６】
同図は、インクリボンを有さないプリンタ５０の例で説明したが、蓋体５２に、図示省略のインクリボンのリボン供給軸およびリボン巻き取り軸を備えた「プリンタ」においても、使い切り、あるいは種類変更などによりインクリボンの交換が必要となるが、上述したように開蓋状態にした際、空間Ｓに押えローラ５９が回動しているため、インクリボンの交換に支障を来たすという問題があった。
【先行技術文献】
【特許文献】
【０００７】
【特許文献１】特開平１１−４２８２８号  公報
【発明の概要】
【発明が解決しようとする課題】
【０００８】
本発明は以上のような問題に着目してなされたもので、被印字媒体ならびにインクリボンの交換が、円滑、かつ、簡単に行える位置に押え部材を退避させるようにした被印字媒体の押え部材の駆動装置を提供することを課題とする。
【課題を解決するための手段】
【０００９】
本発明に係る押え部材の駆動装置は、被印字媒体を収納可能な収納部と、この収納部より所望距離はなれた一端部側に設けられた回転自在なプラテンと、前記収納部およびプラテンの間の底部に形成された前記被印字媒体の案内面と、この案内面に配置されるとともに、前記被印字媒体に設けられた検出マークを検出するセンサと、前記プラテンが設けられた一端部側と対峙する他端部に設けられた支軸部と、を備えた印字装置本体と、前記支軸部を介し前記印字装置本体に対して開閉可能に支持されるとともに、閉鎖時、前記プラテンに当接する一端部側の所望位置に印字ヘッドが設けられた印字ユニットと、この印字ユニットに対し回動可能とされる回動軸を備え、かつ、回動軸に軸支されるとともに、印字ユニットの閉鎖時、前記回動軸を介し回動して前記収納部から前記印字ヘッドおよびプラテン側に移送される被印字媒体を前記案内面に付勢する押え部材と、前記回動軸に嵌合される第１のギア、およびこの第１のギアの近傍の前記印字装置本体に固設された第３のギア、並びに前記第１および第３のギア間に介在する第２のギア、を備えた押え部材の付勢・退避機構と、より構成された押え部材の駆動装置であって、前記印字ユニットの開放時、前記印字ユニットに設けられた印字ヘッドと、印字装置本体に設けられたプラテンとが離反することにより作業用の空間を表出し、かつ、前記印字ユニットの回動に伴い第３のギアに沿って第２のギアが回転するとともに、第２のギアの回転が第１のギアに伝達され、前記案内面に付勢されている前記押え部材を前記空間から離れた所望位置に回動して退避することを特徴とする。
【発明の効果】
【００１０】
本発明に係る押え部材の駆動装置は、印字ユニットの開放時、印字ヘッドとプラテンとを離反することにより作業用の空間を表出し、かつ、印字ユニットの回動に伴い第３のギアに沿って第２のギアが回転し、第２のギアの回転が第１のギアに伝達され、案内面に付勢されている押え部材を空間から離れた所望位置に回動して退避するので、被印字媒体の交換作業が円滑、かつ、容易となるという効果がある。
また、印字ユニットの閉鎖時、第３のギアに沿って第２のギアが回転し、第１のギアおよび回動軸１３を介して押え部材を案内面に回動・位置決めするので、印字ユニットの開放・閉鎖に伴って押え部材の退避・位置決めが自動的に可能となるという効果がある。
【図面の簡単な説明】
【００１１】
【図１】本発明に係る押え部材の駆動装置が搭載された印字装置において、印字ユニットが閉鎖された状態を示す概略側面図である。
【図２】同、押え部材の駆動装置の主要部を模式的に示す概略説明図である。
【図３】同、印字ユニットが開放された状態を示す概略側面図である。
【図４】従来の被印字媒体の押え部材を備えた印字装置の概略側面図である。
【発明を実施するための形態】
【００１２】
以下、本発明の一実施の形態につき、図１ないし図３に基づいて説明する。
なお、以下において、従来と同様の部分は、同一符号を付すに止め、詳説を省略する。
【００１３】
図１は、本発明に係る押え部材の駆動装置が搭載された印字装置において、印字ユニットが閉鎖された状態を示す概略側面図であり、印字装置１は、主に、印字装置本体２と、印字ユニット３と、押え部材４と、押え部材の付勢・退避機構５（主に、図２）と、を備えている。
【００１４】
印字装置本体２は、主に、ラベル連続体などの被印字媒体５３を収納可能な収納部６と、一端部（図における左側端部）に回転自在に設けられたプラテン５５とを備え、かつ、収納部６とプラテン５５の間の底部５６には、「センサ」としての反射センサ５７が設けられており、この反射センサ５７が設けられた底部５６は、被印字媒体５３をプラテン５５側に搬送する際の「案内面５６」となっている。
なお、７は、印字装置本体２の底部５６に立設された支持部材であり、この支持部材７には、後述の印字ユニット３を回動可能に支持する支軸部８が設けられている。
【００１５】
印字ユニット３は、主に、印字ヘッド６０と、リボン部９と、を備えており、前記印字装置本体２に対し前記支持部材７の支軸部８を介して開閉可能とされている。
また、印字ヘッド６０は、印字装置本体２に設けられた前記プラテン５５に対向する印字ユニット３の一端部に設けられており、印字ユニット３が閉鎖した状態（図１参照）において、プラテン５５に当接するように設けられている。
【００１６】
リボン部９は、リボン供給軸１０と、リボン巻き取り軸１１とを備えており、リボン供給軸１０とリボン巻き取り軸１１の間には、印字ヘッド６０を経てインクリボンＲが架け渡されるようになっている。
【００１７】
押え部材４は、保持部材１２と、この保持部材１２の先端部に、図示省略のバネなどの付勢部材を介して取り付けられた一対のラベル押えローラ５９、５９と、印字ユニット３に対し回動可能とされる回動軸１３と、を備えており、前記保持部材１２の基端部は、前記回動軸１３に軸支されている。そして、回動軸１３が回動すると、基端部が軸支されているため保持部材１２が回動することになり、押え部材４の全体が印字ユニット３に対して回動可能とされ、印字ユニット３が閉鎖されているとき（図１）は、案内面（底部）５６に先端部の押えローラ５９、５９が回動・位置決めされて案内面５６に被印字媒体５３を付勢するようになっている。
【００１８】
次に、主に図２に基づき押え部材の付勢・退避機構５を説明する。
なお、図２においては、説明の都合上、付勢・退避機構５の要部を実線で示し、他の構成は、想像線で示すこととする。
【００１９】
同図に示すように、付勢・退避機構５は、第１のギア１４、第２のギア１５、および第３のギア１６を備えている。
第１のギア１４は、前記印字ユニット３に対し回動可能に設けられた前記回動軸１３に嵌合されており、回動軸１３の回動と連動して回動する「駆動歯車」である。そして、前記回動軸１３には、前述したように、押え部材４の保持部材１２が軸支されているので、第１のギア１４が駆動・回動すると回動軸１３を介して押え部材４が回動するようになっている。
第３のギア１６は、前記第１のギア１４の近傍に設けられている。より具体的には、同図における前記保持部材１２の左側端部に固定された円弧状の「固定歯車」である。
第２のギア１５は、前記第１および第３のギア１４、１６の間に介在する「伝動歯車」であり、円弧状の第３のギア１６の下端部１６ａより上端部１６ｂへ向け、あるいは、上端部１６ｂより下端部１６ａに向けてかみ合いながら回転するとともに、その回転を第１のギア１４へ伝達するようになっている。
【００２０】
次に、図１ないし図３に基づき、押え部材の駆動装置の作動状態を説明する。
印字装置本体２と印字ユニット３が閉鎖された状態（図１参照）から、印字ユニット３を開放する方向（矢示Ｙ方向）に引き上げると、印字装置本体２に対し印字ユニット３が支軸部８を介し回動して印字ユニット３の印字ヘッド６０と印字装置本体２のプラテン５５の間を離間して作業用の空間Ｓを表出する（図３）。
【００２１】
また、主に、図１および図２に示すように、固定歯車である第３のギア１６の下端部１６ａに待機・位置決めされている第２のギア１５は、印字ユニット３の開放に伴い、円弧状の第３のギア１６に沿ってかみ合いながら上端部１６ｂ側へ向けて矢示Ａ方向に回転する。
「伝動歯車」としての第２のギア１５が矢示Ａ方向に回転すると、この第２のギア１５にかみ合う第１のギア１４が矢示Ｂ方向に回転し、第１のギア１４が嵌合する回動軸１３を回転するとともに、この回動軸１３に軸支されている保持部材１２が回転し、押え部材４を空間Ｓより離れた奥の位置（空間Ｓを手前側とした場合の「奥」であって、図における右側）に回動（揺動）するものである。
押え部材４が空間Ｓから離れた所望位置に回動して退避され邪魔とならないため、被印字媒体５３およびリボンＲの交換作業が円滑、かつ、容易となるものである。
【００２２】
交換作業後は、印字ユニット３を閉鎖する方向（矢示Ｙ逆方向）にとじ回動すると、第３のギア１６の上端部１６ｂに位置決めされている第２のギア１５は、印字ユニット３の閉鎖に伴い、第３のギア１６に沿ってかみ合いながら下端部１６ａ側へ向けて矢示Ａ逆方向に回転する。
第２のギア１５が矢示Ａ逆方向に回転すると、第１のギア１４、および回動軸１３、並びに保持部材１２を介して押え部材４は先とは逆に回動（揺動）し、先端部のラベル押えローラ５９、５９を案内面５６に回動・位置決めするとともに、付勢して印字ユニット３の閉鎖が完了する。
このとき、印字ヘッド６０とプラテン５５は当接した状態で印字待機状態となる。
【００２３】
上述したように、印字ユニット３の開放時、印字装置本体２の手前側に作業用の空間Ｓを表出するとともに、印字ユニット３の回動に伴い第３のギア１６に沿って第２のギア１５が回転し、第１のギア１４および回動軸１３を介して押え部材４を空間Ｓより退避するので、被印字媒体５３およびリボンＲの交換作業が円滑、かつ、容易となり、また、印字ユニット３の閉鎖時、第３のギア１６に沿って第２のギア１５が回転し、第１のギア１４、および回動軸１３、並びに保持部材１２を介して押え部材４を案内面５６に回動・位置決めするので、印字ユニット３の開放・閉鎖に伴って自動的に押え部材４の退避・位置決めが可能となる。
【００２４】
なお、上記実施の形態の構成及び動作は例であって、本発明の趣旨を逸脱しない範囲で適宜変更することができることは言うまでもない。
【符号の説明】
【００２５】
Ｓ    空間
１    印字装置
２    印字装置本体
３    印字ユニット
４    押え部材
５    押え部材の付勢・退避機構
６    収納部
７    支持部材
８    支軸部
９    リボン部
１０  リボン供給部
１１  リボン巻き取り部
１２  保持部材
１３  回動軸
１４  第１ギア
１５  第２ギア
１６  第３ギア
１６ａ  下端部
１６ｂ  上端部
５０  プリンタ
５１  プリンタ本体
５２  蓋体
５３  被印字媒体（ラベル連続体）
５４  供給軸
５５  プラテン
５６  案内面（底部）  
５７  センサ（反射センサ）
５８  板バネ材
５９  ラベル押えローラ
６０  印字ヘッド
６１  枢軸
【図１】
2015006762.tif 000003
【図２】
2015006762.tif 000004
【図３】
2015006762.tif 000005
【図４】
2015006762.tif 000006